(57)【要約】      （修正有）【課題】深くて小さい孔を効率および精度よく形成するための方法を提供する。【解決手段】被加工物（１０２）は、液体誘導レーザ切断経路に配置され、被加工物（１０２）に中間特徴を形成するために液体誘導レーザ装置（１１０）によって加工される。次に、被加工物（１０２）は、放電加工（ＥＤＭ）装置（１２０）の電極（１２８）が中間特徴の近傍に動作可能に配置されるようにＥＤＭ装置（１２０）に配置され、被加工物（１０２）に完成した共通の特徴を形成する目的で被加工物（１０２）の中間特徴を改変するためにＥＤＭ装置（１２０）を使用して加工される。【選択図】図１
2017205866.tif 000002
【特許請求の範囲】
【請求項１】
被加工物（１０２）を加工する方法であって、
液体誘導レーザ切断経路（１１９）に前記被加工物（１０２）を配置するステップ（２３０）と、
前記被加工物（１０２）に少なくとも１つの中間特徴を形成するために前記被加工物（１０２）を液体誘導レーザ加工するステップ（２４０）と、
放電加工（ＥＤＭ）装置（１２０）に前記被加工物（１０２）を配置するステップ（２６０）であって、前記ＥＤＭ装置（１２０）の電極（１２８）が、前記被加工物（１０２）の前記少なくとも１つの中間特徴の近傍に動作可能に配置される、ステップと、
前記被加工物（１０２）に少なくとも１つの完成特徴を形成する目的で前記被加工物（１０２）の前記少なくとも１つの中間特徴を改変するために前記ＥＤＭ装置（１２０）を使用して前記被加工物（１０２）を放電加工するステップ（２７０）と
を含む方法。
【請求項２】
前記被加工物（１０２）の前記少なくとも１つの中間特徴が、前記液体誘導レーザ加工ステップ中に液体誘導レーザ（１１０）によって形成される、中間深さを有する孔であり、前記ＥＤＭ装置（１２０）が、前記被加工物（１０２）に前記少なくとも１つの完成特徴を形成するために前記放電加工ステップにおいて前記孔を完成深さまで改変する、請求項１に記載の方法。
【請求項３】
前記中間深さが、ＥＤＭ効率閾値を下回り、前記完成深さが、前記ＥＤＭ効率閾値を上回る、請求項２に記載の方法。
【請求項４】
前記ＥＤＭ装置（１２０）の前記電極（１２８）が、前記放電加工ステップ中に前記被加工物（１０２）の前記少なくとも１つの中間特徴の内側に動作可能に配置される、請求項１に記載の方法。
【請求項５】
前記液体誘導レーザ切断経路（１１９）が、直線であり、前記ＥＤＭ装置（１２０）の前記電極（１２８）が、湾曲しており、このため、前記被加工物（１０２）の前記少なくとも１つの完成特徴が、直線経路を辿る第１の部分および湾曲経路を辿る第２の部分を含む、請求項１に記載の方法。
【請求項６】
前記被加工物（１０２）が、基材およびコーティング深さを有する熱障壁コーティングを含み、前記中間特徴が、前記コーティング深さよりも深く、前記放電加工ステップが、前記基材のみを除去する、請求項１に記載の方法。
【請求項７】
前記被加工物（１０２）が、タービンブレードであり、前記少なくとも１つの完成特徴が、複数の調量孔である、請求項１に記載の方法。
【請求項８】
前記被加工物（１０２）が、複数の完成特徴を含み、該複数の完成特徴の一部が、液体誘導レーザ加工（１１２）のみを使用して形成され、前記複数の完成特徴の前記一部が、ディフューザ形状および複数のコーティングコレクタから選択される、請求項７に記載の方法。
【請求項９】
システム（１００）であって、
液体誘導レーザ切断経路（１１９）を有する液体誘導レーザ装置（１１０）と、
電極（１２８）を有する放電加工（ＥＤＭ）装置（１２０）と、
前記液体誘導レーザ装置（１１０）を用いて被加工物（１０２）を加工することによって少なくとも１つの中間特徴を形成するために前記液体誘導レーザ切断経路（１１９）に前記被加工物（１０２）を配置するための第１の配置システム（１３４）と、
前記ＥＤＭ装置（１２０）の前記電極（１２８）が、前記被加工物（１０２）に少なくとも１つの完成特徴を形成する目的で前記少なくとも１つの中間特徴を改変するために前記被加工物（１０２）の前記少なくとも１つの中間特徴の近傍に動作可能に配置されるように前記被加工物（１０２）を配置するための第２の配置システム（１４４）と
を備え、
前記被加工物（１０２）が、前記被加工物（１０２）において前記少なくとも１つの中間特徴と前記少なくとも１つの完成特徴との位置合わせを行うために前記第１の配置システム（１３４）および前記第２の配置システム（１４４）によって使用される共通の基準を用いて前記第１の配置システム（１３４）と前記第２の配置システム（１４４）との間で移されるシステム（１００）。
【請求項１０】
前記液体誘導レーザ装置（１１０）、前記ＥＤＭ装置（１２０）、前記第１の配置システム（１３４）、および前記第２の配置システム（１４４）に用意される共通の設計データをさらに備え、前記第１の配置システム（１３４）および前記液体誘導レーザ装置（１１０）が、前記共通の設計データに従って前記被加工物（１０２）に前記少なくとも１つの中間特徴を加工し、前記第２の配置システム（１４４）および前記ＥＤＭ装置（１２０）が、前記共通の設計データに従って前記被加工物（１０２）に前記少なくとも１つの完成特徴を加工する、請求項９に記載のシステム（１００）。
【請求項１１】
前記被加工物（１０２）の前記少なくとも１つの中間特徴が、孔であり、前記共通の設計データに従って前記被加工物（１０２）に前記少なくとも１つの完成特徴を形成するために、前記液体誘導レーザ装置（１１０）が、前記孔を中間深さまで加工し、前記ＥＤＭ装置（１２０）が、前記孔を完成深さまで加工する、請求項１０に記載のシステム（１００）。
【請求項１２】
前記被加工物（１０２）が、基材およびコーティング深さを有する熱障壁コーティングをさらに備え、前記共通の設計データに従って前記被加工物（１０２）に前記少なくとも１つの完成特徴を形成する際に、前記液体誘導レーザ装置（１１０）が、前記コーティング深さを上回る深さまで前記少なくとも１つの中間特徴を加工し、前記ＥＤＭ装置（１２０）が、前記基材のみを除去する、請求項１０に記載のシステム（１００）。
【請求項１３】
前記液体誘導レーザ切断経路（１１９）が、直線であり、前記ＥＤＭ装置（１２０）の前記電極（１２８）が、湾曲しており、このため、前記被加工物（１０２）の前記少なくとも１つの完成特徴が、直線経路を辿る第１の部分および湾曲経路を辿る第２の部分を含む、請求項９に記載のシステム（１００）。
【発明の詳細な説明】
【技術分野】
【０００１】
本開示は、一般に金属被加工物の加工、より詳細には、共通の被加工物への液体誘導レーザ（ｌｉｑｕｉｄ  ｇｕｉｄｅｄ  ｌａｓｅｒ）加工および放電加工の工具の使用に関する。
【背景技術】
【０００２】
高エネルギーレーザビームと透明液体（水など）の集中噴射とを組み合わせた産業用切断工具が多年にわたって使用されている。これらのシステムは、一般に、レーザビームを供給するレーザおよびビームガイド、レーザを制御可能に集束させるための光学モジュール、レーザと高圧液体噴射とを結合するための結合アセンブリ、および吐出ノズルを備える。液体誘導レーザは、非常に硬質の材料の加工に効果的だが、小さい孔の穿孔の深さおよび見通せない孔に関して制約を有する場合がある。
【０００３】
放電加工（ＥＤＭ：ｅｌｅｃｔｒｉｃａｌ  ｄｉｓｃｈａｒｇｅ  ｍａｃｈｉｎｉｎｇ）に基づく産業用切断工具も、様々な被加工物（硬化した鋼および合金のような加工の困難な材料を含む）を加工するために同様に多年にわたって使用されている。ＥＤＭは、一般に誘電流体の助けを借りて、小量の材料を除去する放電またはスパークを被加工物に発生させるために電極を使用する。ＥＤＭの１つの用途は、タービンブレードの前縁および／または後縁に小さい孔の列を穿孔することである。タービンブレードに使用される非常に硬質の合金は、高い縦横比を有する孔の従来の加工を極めて困難にしている。ＥＤＭ穿孔は、このような材料への小さくて深い孔の高速穿孔を可能にし得る。しかしながら、ＥＤＭは、小さくて複雑な特徴に関して効率および精度の面で制約を有し、また、タービンブレードおよび熱障壁コーティング（ＴＢＣ：ｔｈｅｒｍａｌ  ｂａｒｒｉｅｒ  ｃｏａｔｉｎｇ）を用いる同様の被加工物上のＴＢＣを除去することが困難である。
【発明の概要】
【０００４】
本開示の第１の態様は、被加工物を加工する方法を提供する。本方法は、液体誘導レーザ切断経路に被加工物を配置することおよび被加工物に少なくとも１つの中間特徴を形成する目的で被加工物を液体誘導レーザ加工するために液体誘導レーザを使用することを含む。次に、被加工物は、放電加工（ＥＤＭ）装置に配置され、ＥＤＭ装置の電極は、被加工物の少なくとも１つの中間特徴の近傍に動作可能に配置される。次に、放電加工が、被加工物に少なくとも１つの完成特徴を形成する目的で被加工物の少なくとも１つの中間特徴を改変するために、ＥＤＭ装置を使用して被加工物に対して使用される。
【０００５】
本開示の第２の態様は、液体誘導レーザ加工およびＥＤＭ加工の組み合わせによって加工された被加工物を提供する。被加工物は、基材および該基材の少なくとも１つの完成特徴を備える。完成特徴は、液体誘導レーザ切断経路に被加工物を配置し、被加工物に少なくとも１つの中間特徴を形成するために被加工物を液体誘導レーザ加工し、ＥＤＭ装置に被加工物を配置し、被加工物に少なくとも１つの完成特徴を形成する目的で被加工物の少なくとも１つの中間特徴を改変するためにＥＤＭ装置を使用して被加工物を放電加工することによって形成される。放電加工の間、ＥＤＭ装置の電極は、被加工物の少なくとも１つの中間特徴の近傍に動作可能に配置される。
【０００６】
本開示の第３の態様は、液体誘導レーザ装置およびＥＤＭ装置を組み合わせるためのシステムを提供する。本システムは、液体誘導レーザ切断経路を有する液体誘導レーザ装置および電極を有するＥＤＭ装置を備える。本システムは、液体誘導レーザ装置を用いて被加工物を加工することによって少なくとも１つの中間特徴を形成するために液体誘導レーザ切断経路に被加工物を配置するための第１の配置システムおよびＥＤＭ装置の電極が、被加工物に少なくとも１つの完成特徴を形成する目的で少なくとも１つの中間特徴を改変するために被加工物の少なくとも１つの中間特徴の近傍に動作可能に配置されるように被加工物を配置するための第２の配置システムをさらに備える。被加工物は、被加工物において少なくとも１つの中間特徴と少なくとも１つの完成特徴との位置合わせを行うために第１の配置システムおよび第２の配置システムによって使用される共通の基準を用いて第１の配置システムと第２の配置システムとの間で移される。
【０００７】
本開示の例示の態様は、本明細書で説明されている問題および／または述べられていない他の問題を解決するように構成されている。
【０００８】
本開示のこれらのおよび他の特徴は、本開示の様々な実施形態を描いている添付図面に関連して行われる、本開示の様々な態様に関する以下の詳細な説明からより容易に理解される。
【図面の簡単な説明】
【０００９】
【図１】本発明の実施形態に係る例示的なシステムのブロック図を示している。
【図２】本発明の実施形態に係る例示的な方法のブロック図を示している。
【図３】本発明の実施形態に係る共通設計の各特徴のために使用される工程または複数の工程を決定するための例示的な表を示している。
【発明を実施するための形態】
【００１０】
本開示の図面が原寸に比例していないことに留意されたい。図面は、本開示の典型的な態様のみを描くためのものであり、したがって、本開示の範囲を限定するものとして考えられるべきではない。図面において、同じ番号は、図面を通して同じ要素を示している。
【００１１】
上に示したように、本開示は、共通の被加工物に液体誘導レーザ加工および放電加工の工具を使用して方法、システム、および結果として得られる被加工物を提供する。液体誘導レーザ加工は、多数の好適な特性を有する。液体誘導レーザ加工は、コーティング層（熱障壁コーティング（ＴＢＣ）など）および基材を確実に加工することが可能である。液体誘導レーザ加工は、ごくわずかな作り直しを残しはするが、まったくバリを残さず、裏面の平滑化（ｂａｃｋ  ｓｔｒｉｋｅ）を回避することが可能である。液体誘導レーザ加工は、わずかにしかテーパ状でない非常に小径の孔を穿孔することができ、成形孔および成形特徴（表面ディフューザ形状、シェブロン、内部の正方形（ｓｑｕａｒｅ  ｉｎ）、外部の正方形（ｓｑｕａｒｅ  ｏｕｔ）など）を加工し得る。また、液体誘導レーザ加工は、工具から被加工物までの距離の変動に関して他の方法よりも寛容である。現在の実施態様において、液体誘導レーザ加工は、非常に浅い特徴（＜０．５インチの）に関しては放電加工（ＥＤＭ）よりも高速であり、ある閾値の深さまでは同等である。しかしながら、この閾値の深さ以上になると、ＥＤＭが、より効率的になり、特定の深さを上回ると、液体誘導レーザは使用不能になる。同様に、液体誘導レーザは、小径には非常に効果的だが、特定の閾値の直径を上回る（この場合は、ＥＤＭがより効果的である）と費用効果的でなくなる。深いまたは大きい特徴に加えて、ＥＤＭは、電極の成形によって得られるいくつかのさらなる能力を有し、直線レーザ誘導経路によって限定されない。
【００１２】
これらの技術および工具を組み合わせることによって、被加工物の設計は、コーティング後の再開工程を容易にし得る。ディフューザ形状および冷却孔が、共通の工程で形成され得る。設計の柔軟性および効率が、穿孔速度および特徴形状の能力の最も効率的な組み合わせを選択することによって最大化され得る。２つの技術における材料の制約、加工距離、および利用可能性の違いが、いくつかの組み合わせにおいて克服され得る。例えば、液体誘導レーザは、ＥＤＭが、ＴＢＣ表面に接触するリスクを低くしながら特徴に再び位置合わせされるのに十分な空間を有することを可能にするためにベース金属の加工に使用されてもよい。
【００１３】
本発明の一部の実施形態で取り組まれる課題は、共通の被加工物に対する液体誘導レーザおよびＥＤＭの技術の効果的な組み合わせであり、より具体的には、中間特徴を形成するために液体誘導レーザを使用し、特徴を仕上げるためにＥＤＭを使用するように単一の特徴のために２つの技術の能力を活用する共通設計の開発である。中間特徴は、完成した被加工物の最終仕様を満たさないが、その代わりに完成特徴の仕様とは異なる中間仕様を有する特徴である。例えば、中間特徴は、液体誘導レーザを用いた０．５インチの深さまでの穿孔（表面コーティング層の除去を含む）による孔であってもよく、この場合、完成特徴は、ＥＤＭ加工によって仕上げられる１インチの孔である。
【００１４】
本発明の一部の実施形態で取り組まれるさらなる課題は、別々の機械において共通設計の特徴（特に、両方の技術を使用する特徴）を正確かつ効率的に位置合わせする困難である。液体誘導レーザおよびＥＤＭの工具の両方に適合する共通の配置システムも可能であり得るが、これらの工具は、より一般的には異なるメーカーによって供給されるものであり、別々の工具および専用の配置システム間で被加工物を物理的に移動させることを必要とし得る。
【００１５】
図１は、液体誘導レーザ装置１１０およびＥＤＭ装置１２０を使用して共通の被加工物１０２を加工するための複合システム１００を示している。図示の複合システム１００において、液体誘導レーザ装置１１０およびＥＤＭ装置１２０は、それ自体の位置制御システムを有する別々の機械であり、被加工物との共通のインターフェースおよび相補的な設計データを受信する共通の能力のみを共有している。代替的な構成（図示せず）において、２つの装置の構成要素間のさらなる統合（共通の段、位置制御システム、データシステム、または供給部など）が達成されてもよい。図１は、概略ブロック図に過ぎず、装置（キャビネット、ユーザ制御装置／インターフェース、およびこのような市販のシステムで従来から利用可能な、当業者によく知られている他の構成要素など）の多くの詳細を意図的に除外している。
【００１６】
液体誘導レーザ装置１１０は、レーザ源１１４からレーザエネルギーを、液体源１１６から液体を受け取る液体誘導レーザシステム１１２を含む。液体誘導レーザシステム１１２は、液体誘導レーザビーム経路１１９に沿って液体誘導レーザビームを形成するためにレーザ源１１４からのレーザエネルギーをビームに集束させ、ノズル１１８を介して液体源１１６からの液体を押し出す。液柱（一般に水噴射）は、ファイバ光学の原理と同様にレーザガイドとしての役割を果たし、被加工物からの残骸を連続的に洗い流すために移動媒体を供給しながらもレーザエネルギーを被加工物に向ける。図１では、被加工物１０２はまだ、加工中のようには液体誘導レーザ経路１１９に配置されていない。
【００１７】
ＥＤＭ装置１２０は、液体源１２４から誘電液体を、電源１２６から電気エネルギーを受け取るＥＤＭシステム１２２を含む。ＥＤＭシステム１２２は、電極１２８と被加工物との間にスパークを発生させ、これにより材料を除去するために、電極１２８を介して高エネルギーパルスを駆動しながら被加工物の表面に誘電液体（一般に水）を供給する。これは、電極１２８と加工される被加工物の位置との近接近（ｃｌｏｓｅ  ｐｒｏｘｉｍｉｔｙ）を必要とする。図１では、被加工物１０２はまだ、加工中のようには電極１２８の近傍に配置されていない。
【００１８】
液体誘導レーザ装置１１０は、液体誘導レーザ装置１１０による加工中に被加工物１０２を配置して保持するためのチャック１３２を有する段１３０に適合し、これと連動する。液体誘導レーザ装置１１０および段１３０は、コンピュータベースの位置制御システム１３４によって保持され、互いに移動される。図示の実施形態において、位置制御システム１３４は、段１３０および段１３０を介して液体誘導レーザシステム１１２に接続されている。他の構成および相互接続も可能である。位置制御システム１３４は、Ｘ、Ｙ、およびＺの次元（ＸおよびＹは、一般に被加工物の水平方向位置を表し、Ｚは、一般に、液体誘導レーザ経路１１９に沿った、ノズル１１８から被加工物のターゲット表面までの距離を表す）において高い精度で被加工物を配置し、移動させるように構成されている。これらの方向は、相対的であり、一部の実施形態において、液体誘導レーザシステム１１２、段１３０、もしくはチャック１３２またはこれらのいずれかおよびすべては、所望の特徴の位置、形状、および深さのための所望の接触の点および方向を達成する目的で液体誘導レーザ経路１１９に対して被加工物を適切に配置するために垂直方向および水平方向の駆動ならびに／または様々な方向への回転によって移動されてもよいことに留意されたい。一実施形態において、チャック１３２および位置制御システム１３４は、多数の機械工具に適合するプラットフォーム機械配置システム（ｐｌａｔｆｏｒｍ  ｍａｃｈｉｎｅ  ｐｏｓｉｔｉｏｎｉｎｇ  ｓｙｓｔｅｍ）から選択される。
【００１９】
ＥＤＭ装置１２０は、ＥＤＭ装置１２０による加工中に被加工物１０２を配置して保持するためのチャック１４２を有する段１４０に適合し、これと連動する。ＥＤＭ装置１２０および段１４０は、コンピュータベースの位置制御システム１４４によって保持され、互いに移動される。図示の実施形態において、位置制御システム１４４は、段１４０および段１４０を介してＥＤＭシステム１２２に接続されている。他の構成および相互接続も可能である。位置制御システム１４４は、Ｘ、Ｙ、およびＺの次元（ＸおよびＹは、一般に被加工物の水平方向位置を表し、Ｚは、一般に、電極１２８から被加工物のターゲット表面までの距離を表す）において高い精度で被加工物を配置し、移動させるように構成されている。これらの方向は、相対的であり、一部の実施形態において、ＥＤＭシステム１２２、段１４０、もしくはチャック１４２またはこれらのいずれかおよびすべては、所望の特徴の位置、形状、および深さのための所望の接触の点および方向を達成する目的で電極１２８に対して被加工物を適切に配置するために垂直方向および水平方向の駆動ならびに／または様々な方向への回転によって移動されてもよいことに留意されたい。一実施形態において、チャック１４２および位置制御システム１４４は、多数の機械工具に適合するプラットフォーム機械配置システムから選択され、これは、液体誘導レーザ装置１１０用のチャック１３２および位置制御システム１３４と同じ種類のプラットフォーム機械配置システムである。
【００２０】
特徴の相対位置の高レベルの制御によって同じ被加工物に特徴を加工することができるようにするために、本発明の一部の実施形態は、設計データ１５０の共通セットならびに被加工物１０２に取り付けられ、両方の工具を配置するための一貫性のある基準を提供する、チャック１３２および１４２用のアダプタ１６０を使用する。例えば、チャック１３２および１４２のそれぞれは、各機械のための共通の取付装置を提供してもよく、アダプタ１６０は、加工工程の全体にわたって被加工物１０２に固定して取り付けられ、ユニットとして機械間で被加工物と共に移動されるパレットであってもよい。アダプタ１６０は、被加工物の基準面を指定するための反復可能なシステムを実現する。一実施形態において、アダプタ１６０は、機械移動の小さな加工空間内に被加工物を固定して配置し、被加工物１０２の位置を提供するために被加工物１０２の一部を取り外し可能にクランプする。アダプタ１６０は、不規則な被加工物の幾何学的形状が標準的なチャック形式に容易に適合することを可能にするこができ、一部の実施形態では、反復使用のために部品群の特定の部品用に開発されるカスタム固定具である。アダプタ１６０は、被加工物１０２の共通の基準点に基づいて両方の位置制御システム１３４、１４４が、それぞれの機械において共通の開始点を使用し、被加工物１０２の位置を発見、計算、および操作し得るように被加工物１０２の基準となる向きおよび位置を提供する。例えば、一実施形態において、被加工物１０２は、液体誘導レーザ装置１１０用の位置制御システム１３４によって探査され、座標シフトが、計算され、共通の設計データ１５０に記録されるか、あるいはＥＤＭ装置１２０用の位置制御システム１４４に通信される。
【００２１】
共通の基準（または複数の基準）が両方の位置制御システム１３４、１４４によって使用され得るようにするために、２つの別々の機械が実際の加工に使用される場合であってもすべての特徴およびこれらの仕様を単一の被加工物の設計に正確に写像する、設計データの共通セットが用意されてもよい。所与の共通設計に関して、これらの特徴が写像され、これらの相対位置および仕様が決定されたら、各特徴は、液体誘導レーザ装置１１０、ＥＤＭ装置１２０、またはこれらの組み合わせのいずれで作製されるべきかに関して評価されてもよい。組み合わせ特徴の場合、仕様は、ターゲット位置、形状、および深さを有する、使用される第１の装置（一般に液体誘導レーザ装置１１０）のための中間特徴仕様ならびに所望の仕様を有する完成特徴を形成する仕上げ特徴のためのターゲット位置、形状、および深さを含む最終特徴仕様に分けられる。共通の設計データ１５０が生成されたら、共通の設計データ１５０は、共通の基準データと共に各機械のための、特徴仕様の相補セットに分割されてもよい。例えば、共通の設計データ１５０からの液体誘導レーザ仕様は、液体誘導レーザ装置１１０のみによって形成される多数の特徴およびＥＤＭ装置１２０による完成のために液体誘導レーザ装置１１０によって形成される多数の中間特徴を含んでもよい。共通の設計データ１５０からのＥＤＭ仕様は、ＥＤＭ装置１２０のみによって形成される多数の特徴および共通設計の完成特徴を完成させるために液体誘導レーザ装置１１０によって形成される中間特徴内の位置から開始するための多数の仕上げ特徴を含んでもよい。一部の被加工物および設計の応用に関して、液体誘導レーザ特徴およびＥＤＭ特徴の順序を逆にすることまたは完成のために２つの機械間での多数の繰り返しを必要とする組み合わされた特徴を有することも可能であり得ることに留意されたい。例えば、大きな中間特徴を作製するためにＥＤＭ装置１２０を使用し、液体誘導レーザ装置１１０によって複雑な形状を有する第２の中間特徴を第１の中間特徴内に作製することに移り、次に、再びＥＤＭ装置１２０によって、複雑な完成特徴を作製するために第２の中間特徴内に長孔を穿孔することに移ることが可能であってもよい。一実施形態において、設計データ１５０のための組み合わされた設計および液体誘導レーザ仕様およびＥＤＭ仕様への特徴の分割は、設計データ１５０用の共通のリポジトリへの遠隔接続を有する別個の設計システム（設計システム１５２など）において達成される。別の実施形態において、設計データ１５０は、設計システム１５２で形成され、位置制御システム１３４、１４４に適合するリムーバブルメディアに配置され、被加工物１０２およびアダプタ１６０と共に工程に回される。
【００２２】
図２は、例示的な方法２００（図１の複合システム１００を使用する方法など）のブロック図である。ステップ２１０において、完成した被加工物のすべての完成特徴を示す、液体誘導レーザ（ＬＧＬ：ｌｉｑｕｉｄ  ｇｕｉｄｅｄ  ｌａｓｅｒ）およびＥＤＭの共通設計のための組み合わせ特徴のレイアウトが用意され、各特徴が、工程に関して、様々な設計および工程の効率の考慮項目（図３参照）を使用してＬＧＬ、ＥＤＭ、またはＬＧＬ／ＥＤＭの組み合わせとして識別される。ステップ２１５において、ＬＧＬ／ＥＤＭの組み合わせ加工を必要とする各特徴に関して、中間特徴および仕上げ特徴が計算される。ステップ２２０において、共通の基準、ＬＧＬのみの特徴、およびＬＧＬ中間特徴を含む設計データが、ＬＧＬ装置用の位置制御システムに供給される。ステップ２３０において、ＬＧＬ装置は、共通の基準データならびに被加工物および／またはアダプタによって提供される基準点を使用して配置される。ステップ２４０において、ＬＧＬのみの特徴およびＬＧＬ中間特徴が、ＬＧＬ設計データならびにＬＧＬ設計データ、基準位置、およびＬＧＬ装置用の位置制御システムから計算された位置および動作仕様に基づいてＬＧＬ装置によって加工される。ステップ２５０において、共通の基準、ＥＤＭのみの特徴、およびＥＤＭ仕上げ特徴を含む設計データが、ＥＤＭ装置用の位置制御システムに供給される。ステップ２６０において、ＥＤＭ装置は、共通の基準データならびに被加工物および／またはアダプタによって提供される基準点を使用して配置される。ステップ２７０において、ＥＤＭのみの特徴およびＥＤＭ仕上げ特徴が、ＥＤＭ設計データならびにＥＤＭ設計データ、基準位置、およびＥＤＭ装置用の位置制御システムから計算された位置および動作仕様に基づいてＥＤＭ装置によって加工される。
【００２３】
図３は、組み合わせ設計の特徴をＬＧＬのみの特徴、ＥＤＭのみの特徴、ＬＧＬ／ＥＤＭの組み合わせ特徴として分類するための基準の例示的な表３００である。これは、例に過ぎず、このような設計考慮項目は、機械および工程の能力が変化するにつれて時間とともに変化し、また被加工物の種類およびその幾何学的形状、特徴、材料、コーティングなどの様々な特殊な考慮項目に応じて変化する。また、これらの基準は、より一般的な製造効率基準（機械の稼働率、信頼性、特徴の公差、および他の考慮項目など）を考慮に入れてもよい。表３００において、第１のデータ列は、コーティングが存在する場合に基材上のコーティングの存在がＬＧＬまたはＬＧＬ＋ＥＤＭのいずれかの使用を必要とすることを意味している。第２のデータ列では、表面特徴形状の複雑度が考慮されている。複雑度閾値は、ＬＧＬ対ＥＤＭの相対能力に基づいて設定される。この複雑度閾値を上回る形状の場合、ＥＤＭがより複雑な形状に関しては使用不能なため、ＬＧＬまたはＬＧＬ＋ＥＤＭが必要とされる。一般に直径を意味する特徴サイズが、第３のデータ列では考慮されている。ＥＤＭサイズ閾値であって、これを下回ると、ＥＤＭが使用不能となり、ＬＧＬのみが最適な選択肢となるＥＤＭサイズ閾値が存在する。しかしながら、ＬＧＬサイズ効率閾値であって、これを上回ると、ＬＧＬが非効率的な方法となるＬＧＬサイズ効率閾値も存在する。これらの２つの閾値間では、ＬＧＬ、ＥＤＭ、またはＬＧＬ＋ＥＤＭのすべてが選択肢となる。ＬＧＬサイズ効率閾値を上回ると、ＥＤＭのみまたはＬＧＬ＋ＥＤＭが最適な選択肢となる。第４のデータ列では、特徴の深さが考慮されている。図示の例では、より高速なもしくは同等のＬＧＬまたはより高速なＥＤＭ間の効率閾値のみが考慮されている。この例において、特徴の深さは、３つの選択肢のすべてが利用可能な場合にどの方法を使用するかの優位性を決定する。短孔は、ＬＧＬのみによって穿孔される。長孔は、ＥＤＭのみによって穿孔される。しかしながら、他の特徴の仕様（コーティングの存在または複雑な表面形状のような）の場合、２つの工程を切り替えさせる、ＥＤＭ効率閾値の近くの深さを有する中間特徴には、ＬＧＬ＋ＥＤＭが好ましい。最後のデータ列は、特徴のための穿孔経路に関し、意思決定を促す工程能力には他の考慮項目が存在し得るという一般的な考えをとらえている。この例において、ＬＧＬは、より長くかつより寛容な加工距離閾値を有する。したがって、被加工物の全体形状、配置システム、各工具のヘッド、および／または工具が特定の特徴の位置に近づくことを防止し得る構造によっては、ＬＧＬが、最適な選択肢となり得る。ＥＤＭは、近接性を必要とする一方で、一部の実施形態は、直線ＬＧＬビーム経路では困難であり得る特徴の位置に到達するために成形電極を使用する能力も有する。ＬＧＬおよびＥＤＭの組み合わせの場合、設計は、表面コーティングを除去するまたは特徴を開始するためのＬＧＬの使用を考慮することができるが、その場合、特徴を完成させるために、ＥＤＭの成形電極への切り替えが必要である。上で述べたように、この表は、例に過ぎず、完全な設計基準が、特定の特徴をＬＧＬのみ、ＥＤＭのみ、またはＬＧＬ／ＥＤＭの組み合わせに割り当てるために使用され、中間特徴の実際の仕様を設定することは複雑な工程であり得る。
【００２４】
先の図面は、本開示のいくつかの実施形態に関連する動作処理のいくつかを示している。一部の代替的な実施態様において、説明した活動は、説明した順序とは異なる順序で行われてもよいし、実際に、関連する活動に応じてほぼ同時にまたは逆の順序で実行されてもよいことに留意すべきである。
【００２５】
本明細書で使用されている用語は、特定の実施形態を説明するためだけのものであり、本開示を限定することを意図したものではない。本明細書で使用される場合、単数形「ある（ａ）」、「ある（ａｎ）」、および「その（ｔｈｅ）」は、文脈上別段の明確な指示がない限り、複数形をも含むことが意図されている。用語「含む」および／または「含んでいる」は、本明細書で使用される場合、言明されている特徴、整数、ステップ、動作、要素、および／または構成要素の存在を明確に述べているが、１つ以上の他の特徴、整数、ステップ、動作、要素、構成要素、および／またはこれらの群の存在または追加を排除しないことがさらに理解される。
【００２６】
以下の特許請求の範囲中のすべてのミーンズまたはステップ・プラス・ファンクション（ｍｅａｎｓ  ｏｒ  ｓｔｅｐ  ｐｌｕｓ  ｆｕｎｃｔｉｏｎ）の要素の対応する構造、材料、働き、および均等物は、明確に特許請求されている他の特許請求された要素と組み合わせて機能を実行するための構造、材料、または働きを含むことが意図されている。本開示の説明は、例示および説明のために提示されているが、網羅的であることまたは開示されている形態に本開示を限定することを意図したものではない。多くの修正例および変形例は、本開示の範囲および精神から逸脱することなく当業者に明らかとなる。実施形態は、本開示の原理および実際の適用を最もよく説明するために、および他の当業者が、考えられる特定の使用に適するように様々な修正が施された様々な実施形態のために本開示を理解することを可能にするために選択され、説明されている。
［実施態様１］
被加工物（１０２）を加工する方法であって、
液体誘導レーザ切断経路（１１９）に前記被加工物（１０２）を配置するステップ（２３０）と、
前記被加工物（１０２）に少なくとも１つの中間特徴を形成するために前記被加工物（１０２）を液体誘導レーザ加工するステップ（２４０）と、
放電加工（ＥＤＭ）装置（１２０）に前記被加工物（１０２）を配置するステップ（２６０）であって、前記ＥＤＭ装置（１２０）の電極（１２８）が、前記被加工物（１０２）の前記少なくとも１つの中間特徴の近傍に動作可能に配置される、ステップと、
前記被加工物（１０２）に少なくとも１つの完成特徴を形成する目的で前記被加工物（１０２）の前記少なくとも１つの中間特徴を改変するために前記ＥＤＭ装置（１２０）を使用して前記被加工物（１０２）を放電加工するステップ（２７０）と
を含む方法。
［実施態様２］
前記被加工物（１０２）の前記少なくとも１つの中間特徴が、前記液体誘導レーザ加工ステップ中に液体誘導レーザ（１１０）によって形成される、中間深さを有する孔であり、前記ＥＤＭ装置（１２０）が、前記被加工物（１０２）に前記少なくとも１つの完成特徴を形成するために前記放電加工ステップにおいて前記孔を完成深さまで改変する、実施態様１に記載の方法。
［実施態様３］
前記中間深さが、ＥＤＭ効率閾値を下回り、前記完成深さが、前記ＥＤＭ効率閾値を上回る、実施態様２に記載の方法。
［実施態様４］
前記ＥＤＭ装置（１２０）の前記電極（１２８）が、前記放電加工ステップ中に前記被加工物（１０２）の前記少なくとも１つの中間特徴の内側に動作可能に配置される、実施態様１に記載の方法。
［実施態様５］
前記液体誘導レーザ切断経路（１１９）が、直線であり、前記ＥＤＭ装置（１２０）の前記電極（１２８）が、湾曲しており、このため、前記被加工物（１０２）の前記少なくとも１つの完成特徴が、直線経路を辿る第１の部分および湾曲経路を辿る第２の部分を含む、実施態様１に記載の方法。
［実施態様６］
前記被加工物（１０２）が、基材およびコーティング深さを有する熱障壁コーティングを含み、前記中間特徴が、前記コーティング深さよりも深く、前記放電加工ステップが、前記基材のみを除去する、実施態様１に記載の方法。
［実施態様７］
前記被加工物（１０２）が、タービンブレードであり、前記少なくとも１つの完成特徴が、複数の調量孔である、実施態様１に記載の方法。
［実施態様８］
前記被加工物（１０２）が、複数の完成特徴を含み、該複数の完成特徴の一部が、液体誘導レーザ加工（１１２）のみを使用して形成され、前記複数の完成特徴の前記一部が、ディフューザ形状および複数のコーティングコレクタから選択される、実施態様７に記載の方法。
［実施態様９］
被加工物（１０２）であって、
基材、および
前記基材の少なくとも１つの完成特徴であって、
液体誘導レーザ切断経路（１１９）に前記被加工物（１０２）を配置するステップと、
前記被加工物（１０２）に少なくとも１つの中間特徴を形成するために前記被加工物（１０２）を液体誘導レーザ加工するステップ（２４０）と、
放電加工（ＥＤＭ）装置（１２０）に前記被加工物（１０２）を配置するステップ（２６０）であって、前記ＥＤＭ装置（１２０）の電極（１２８）が、前記被加工物（１０２）の前記少なくとも１つの中間特徴の近傍に動作可能に配置される、ステップと、
前記被加工物（１０２）に前記少なくとも１つの完成特徴を形成する目的で前記被加工物（１０２）の前記少なくとも１つの中間特徴を改変するために前記ＥＤＭ装置（１２０）を使用して前記被加工物（１０２）を放電加工するステップ（２７０）と
によって形成される、少なくとも１つの完成特徴
を備える被加工物（１０２）。
［実施態様１０］
前記被加工物（１０２）の前記少なくとも１つの中間特徴が、前記液体誘導レーザ加工ステップ中に液体誘導レーザ（１１０）によって形成される、中間深さを有する孔であり、前記ＥＤＭ装置（１２０）が、前記被加工物（１０２）に前記少なくとも１つの完成特徴を形成するために前記放電加工ステップにおいて前記孔を完成深さまで改変する、実施態様９に記載の被加工物（１０２）。
［実施態様１１］
前記中間深さが、ＥＤＭ効率閾値を下回り、前記完成深さが、前記ＥＤＭ効率閾値を上回る、実施態様１０に記載の被加工物（１０２）。
［実施態様１２］
前記被加工物（１０２）の前記少なくとも１つの完成特徴が、直線経路を辿る第１の部分および湾曲経路を辿る第２の部分を含む、実施態様９に記載の被加工物（１０２）。
［実施態様１３］
前記被加工物（１０２）が、コーティング深さを有する熱障壁コーティングをさらに備え、前記中間特徴が、前記コーティング深さよりも深く、前記放電加工ステップが、前記基材のみを除去する、実施態様９に記載の被加工物（１０２）。
［実施態様１４］
前記被加工物（１０２）が、タービンブレードであり、前記少なくとも１つの完成特徴が、複数の調量孔である、実施態様９に記載の被加工物（１０２）。
［実施態様１５］
前記被加工物（１０２）が、液体誘導レーザ加工（１１２）のみを使用して形成される少なくとも１つの非ＥＤＭ完成特徴をさらに備え、前記少なくとも１つの非ＥＤＭ完成特徴が、ディフューザ形状および複数のコーティングコレクタから選択される、実施態様１４に記載の被加工物（１０２）。
［実施態様１６］
システム（１００）であって、
液体誘導レーザ切断経路（１１９）を有する液体誘導レーザ装置（１１０）と、
電極（１２８）を有する放電加工（ＥＤＭ）装置（１２０）と、
前記液体誘導レーザ装置（１１０）を用いて被加工物（１０２）を加工することによって少なくとも１つの中間特徴を形成するために前記液体誘導レーザ切断経路（１１９）に前記被加工物（１０２）を配置するための第１の配置システム（１３４）と、
前記ＥＤＭ装置（１２０）の前記電極（１２８）が、前記被加工物（１０２）に少なくとも１つの完成特徴を形成する目的で前記少なくとも１つの中間特徴を改変するために前記被加工物（１０２）の前記少なくとも１つの中間特徴の近傍に動作可能に配置されるように前記被加工物（１０２）を配置するための第２の配置システム（１４４）と
を備え、
前記被加工物（１０２）が、前記被加工物（１０２）において前記少なくとも１つの中間特徴と前記少なくとも１つの完成特徴との位置合わせを行うために前記第１の配置システム（１３４）および前記第２の配置システム（１４４）によって使用される共通の基準を用いて前記第１の配置システム（１３４）と前記第２の配置システム（１４４）との間で移されるシステム（１００）。
［実施態様１７］
前記液体誘導レーザ装置（１１０）、前記ＥＤＭ装置（１２０）、前記第１の配置システム（１３４）、および前記第２の配置システム（１４４）に用意される共通の設計データをさらに備え、前記第１の配置システム（１３４）および前記液体誘導レーザ装置（１１０）が、前記共通の設計データに従って前記被加工物（１０２）に前記少なくとも１つの中間特徴を加工し、前記第２の配置システム（１４４）および前記ＥＤＭ装置（１２０）が、前記共通の設計データに従って前記被加工物（１０２）に前記少なくとも１つの完成特徴を加工する、実施態様１６に記載のシステム（１００）。
［実施態様１８］
前記被加工物（１０２）の前記少なくとも１つの中間特徴が、孔であり、前記共通の設計データに従って前記被加工物（１０２）に前記少なくとも１つの完成特徴を形成するために、前記液体誘導レーザ装置（１１０）が、前記孔を中間深さまで加工し、前記ＥＤＭ装置（１２０）が、前記孔を完成深さまで加工する、実施態様１７に記載のシステム（１００）。
［実施態様１９］
前記被加工物（１０２）が、基材およびコーティング深さを有する熱障壁コーティングをさらに備え、前記共通の設計データに従って前記被加工物（１０２）に前記少なくとも１つの完成特徴を形成する際に、前記液体誘導レーザ装置（１１０）が、前記コーティング深さを上回る深さまで前記少なくとも１つの中間特徴を加工し、前記ＥＤＭ装置（１２０）が、前記基材のみを除去する、実施態様１７に記載のシステム（１００）。
［実施態様２０］
前記液体誘導レーザ切断経路（１１９）が、直線であり、前記ＥＤＭ装置（１２０）の前記電極（１２８）が、湾曲しており、このため、前記被加工物（１０２）の前記少なくとも１つの完成特徴が、直線経路を辿る第１の部分および湾曲経路を辿る第２の部分を含む、実施態様１６に記載のシステム（１００）。
【符号の説明】
【００２７】
１００  複合システム
１０２  被加工物
１１０  液体誘導レーザ装置
１１２  液体誘導レーザシステム
１１４  レーザ源
１１６  液体源
１１８  ノズル
１１９  液体誘導レーザ経路
１２０  ＥＤＭ装置
１２２  ＥＤＭシステム
１２４  液体源
１２６  電源
１２８  電極
１３０  段
１３２  チャック
１３４  位置制御システム
１４０  段
１４２  チャック
１４４  位置制御システム
１５０  設計データ
１５２  設計システム
１６０  アダプタ
２００  例示的な方法
３００  表
【図１】
2017205866.tif 000003
【図２】
2017205866.tif 000004
【図３】
2017205866.tif 000005
【外国語明細書】
2017205866000001.pdf